(57)【特許請求の範囲】
【請求項１】
軸筒内にシャープペンシルユニットを出没可能に配置したシャープペンシルにおいて、前記軸筒を前軸と後軸とより構成し、前記前軸にはシャープペンシルユニットを前後動可能に配置し、そのシャープペンシルユニットは外パイプを有し、その外パイプは前記シャープペンシルユニットを囲繞すると共に、固定され、また、前記後軸には、その外パイプを押圧前進するカム機構を配置し、そのカム機構を前記前軸と後軸との相対的な回転動作によって作動させる如くなし、前記後軸にシャープペンシルユニットを作動せしめる押しピンを前記カム機構を貫通した状態で配置すると共に、その押しピンの先端の対向した位置に前記シャープペンシルユニットの芯タンクを配置し、前記カム機構を回転子と摺動子及びカム筒より構成し、前記シャープペンシルユニットの外パイプに摺動子を圧入固定すると共に、そのシャープペンシルユニットの前方への移動を摺動子の移動によって行い、その摺動子に前記押しピンを係合させた回転出没式シャープペンシルにおいて、前記前軸にカム筒を固定し、そのカム筒に前記後軸に固定された天冠止めと共に回転する回転子を回転可能に配置し、また、その回転子にはその回転子の回転によって前後動する摺動子を挿着すると共に、前記シャープペンシルユニットを前バネによって後方に付勢し、さらに、前記押しピンに少なくとも１つの外方リブを形成し、一方前記回転子に回転を制御され、長手方向に摺動可能なノック部を有する天冠止めを、少なくとも先端部を前記回転子の内方に配置し、前記天冠止めのノック部は先端面に少なくとも１つの切り欠き部を形成し、前記押しピンが後方に位置しているシャープペンシルユニット収納時に、前記押しピンの外方リブの後端面が前記天冠止めノック部の切り欠き底部付近に位置し、押しピンが前進位置にあるシャープペンシルユニット繰り出し時に、所定の角度回転子と同期して天冠止めが回転し、前記押しピン外方リブ後端面の直後に前記天冠止めノック部の先端面が配置されるようになしたことを特徴とする回転出没式シャープペンシル。
【発明の詳細な説明】
【０００１】
【発明の属する技術分野】
本発明は、軸筒内にシャープペンシルユニットを出没可能に配置したシャープペンシルに関する。
【０００２】
【従来の技術】
携帯時の安全性や衣服の汚れ防止の面から、従来より、非筆記時（携帯時等）にシャープペンシルの先端部分を軸筒内に収納できる回転出没式シャープペンシルが知られている。その中でシャープペンシルユニットが芯タンクからなる一重パイプ式のものと、芯タンクと外パイプからなる二重パイプ式（実公昭５９−３９１５号公報、実公昭６０−２１２７１号公報）のものがある。
【０００３】
【発明が解決しようとする課題】
前記従来技術において、前者は、筆記圧をシャープペンシルユニットのチャックバネを介して受ける所望の芯耐圧を得るために、チャックバネを強くせざるを得ず、その結果、ノック圧も高くなるという問題点があった。後者は、二重パイプユニットにより筆記圧はチャックバネを介さず外パイプが受けるため、所望の芯耐圧が得られ、ノック圧を低くできるという利点があるが、シャープペンシルユニットに、先端出没あるいは芯出しノックのための機構が直接取り付けてあるため組み立ての複雑さがあり、また、シャープペンシルユニットの外側にそれらの部材を取り付けなければならない。しかし、前記の部品を取り付けるのは、軸の外径を太くしなければならないが、軸筒の外径を太くすると見栄えを損なうという問題が生じる。そこで、軸筒の部材の厚さを肉薄にしなければならず、部品の耐久性が低下するという問題があった。
【０００４】
【課題を解決するための手段】
本発明は上記問題点を解決することを目的とし、軸筒内にシャープペンシルユニットを出没可能に配置したシャープペンシルにおいて、前記軸筒を前軸と後軸とより構成し、前記前軸にはシャープペンシルユニットを前後動可能に配置し、そのシャープペンシルユニットは外パイプを有し、その外パイプは前記シャープペンシルユニットを囲繞すると共に、固定され、また、前記後軸には、その外パイプを押圧前進するカム機構を配置し、そのカム機構を前記前軸と後軸との相対的な回転動作によって作動させる如くなし、前記後軸にシャープペンシルユニットを作動せしめる押しピンを前記カム機構を貫通した状態で配置すると共に、その押しピンの先端の対向した位置に前記シャープペンシルユニットの芯タンクを配置し、前記カム機構を回転子と摺動子及びカム筒より構成し、前記シャープペンシルユニットの外パイプに摺動子を圧入固定すると共に、そのシャープペンシルユニットの前方への移動を摺動子の移動によって行い、その摺動子に前記押しピンを係合させた回転出没式シャープペンシルにおいて、前記前軸にカム筒を固定し、そのカム筒に前記後軸に固定された天冠止めと共に回転する回転子を回転可能に配置し、また、その回転子にはその回転子の回転によって前後動する摺動子を挿着すると共に、前記シャープペンシルユニットを前バネによって後方に付勢し、さらに、前記押しピンに少なくとも１つの外方リブを形成し、一方前記回転子に回転を制御され、長手方向に摺動可能なノック部を有する天冠止めを、少なくとも先端部を前記回転子の内方に配置し、前記天冠止めのノック部は先端面に少なくとも１つの切り欠き部を形成し、前記押しピンが後方に位置しているシャープペンシルユニット収納時に、前記押しピンの外方リブの後端面が前記天冠止めノック部の切り欠き底部付近に位置し、押しピンが前進位置にあるシャープペンシルユニット繰り出し時に、所定の角度回転子と同期して天冠止めが回転し、前記押しピン外方リブ後端面の直後に前記天冠止めノック部の先端面が配置されるようになしたことを要旨とするものである。
【０００５】
【発明の実施形態】
本発明の実施の形態を図示した実施例に基づいて詳細に説明する。図１乃至図７は本発明の第１実施例である。１は前軸で、後端にカム筒１２が一体に固定されている。２はカム筒１２外周に挿着した後軸で、後端の天冠止め１０と天冠９でクリップ４を固定している。天冠止め１０外周には、その天冠止め１０とは回転不能ではあるが前後動可能な回転子１１が係合しており、その回転子１１の先端にはカム面１１ａが形成されている。１３は摺動子で、後方に摺動突起１３ａが形成されている。その摺動子１３は、前記カム筒１２先端より挿入され、摺動突起１３ａがカム筒１２の溝部１２ａ内に嵌入している。こうして、前記摺動子１３はカム筒１２に対して、相対的な回動が阻止されているが、前後動は可能になっている。１４は押しピンで、押しピン外方リブ１４ａと摺動子１３の貫通孔１３ｂに形成される内方開口溝１３ｃに回転を規制され、摺動子内方係止段部１３ｄとこれに係止する押しピン係止突起１４ｃにて係止されると共に、前記係止突起１４ｃとは異なる位置に外方リブ１４ａが形成されている。天冠止めノック部１０ａはその先部が回転子１１の内方に配置され、先端面に切り欠き部１０ｂが形成され、押しピン１４が後退しているシャープペンシルユニット収納時は、その外方リブ１４ａの後端は切り欠き底部１０ｃ付近に位置し、押しピン１４が前進しているシャープペンシルユニット繰り出し時には天冠止め１０は回転子１１と共に所定の角度回転し、押しピン１４の外方リブ１４ａ後端は天冠止めノック部１０ａの先端面付近に配置される。シャープペンシルユニット繰り出し時、後軸２あるいはその他の部材を押すことで天冠止め１０が押され、天冠止めノック部１０ａに近接する押しピン外方リブ１４ａが、天冠止めノック部先端面１０ｄによって押され、芯出しが行える。
【０００６】
７ａはシャープペンシルユニット７の外パイプで、その外パイプ７ａの後部は前記摺動子１３の先部に圧入固定されている。７ｂはシャープペンシルユニット７の芯タンクで、押しピン１４の先端が適宜隙間を形成し対向位置している。その隙間の形成は、押しピン１４や芯タンク７ｂの長さ寸法のばらつきを考慮してのことである。つまり、互いに短く形成してしまった場合には、芯の繰り出し操作が行えるが、長く形成してしまった場合には、前記押しピン１４が芯タンク７ｂを常に押圧した状態となってしまうのである。そして、その押圧動作により、シャープペンシルユニット７の芯を把持するチャック体７ｃが解放した状態、或は、解放まではしないまでも把持力が弱まってしまい、芯の繰り出し動作が行えなくなるばかりでなく、筆記中に芯が没入してしまうといった問題が発生する。押しピン１４と芯タンク７ｂとの隙間は摺動子内方係止段部１３ｄとそれに係止する押しピン係止突起１４ｃとの隙間であっても何ら差し支えない。８はシャープペンシルユニット７を常時後方に付勢している前バネ、３は先金、６は消しゴム、１５はカムバネである。シャープペンシルユニット７は芯タンク７ｂがノックされる度に芯が一定量突出するがその構造は周知あるので説明を略する。
【０００７】
次に作用について説明する。シャープペンシルユニット７先端の口金７ｄが前軸１先端より内方に収納されている図１の状態より図２の突出状態にするには、後軸２を右方向に所定の角度回転させると天冠止め１０が回転し、同時に回転子１１が回転し、カム面１１ａが摺動子１３の摺動突起１３ａを前方に押す。摺動子１３の摺動突起１３ａはカム筒１２の溝部１２ａにより回動を阻止されているので、前記摺動子１３は回転せず前進のみを行なうと共に、シャープペンシルユニット７の外パイプ７ａを前方に押す。この動作によって前記シャープペンシルユニット７は前進し、口金７ｄが先金３より突出する。この時、カム面１１ａの先端凹部１１ｂに摺動子１３の摺動突起１３ａが嵌入し摺動子１３をその状態に保持する。この時、前記押しピン１４の係止突起１４ｃは、摺動子１３の内方係止段部１３ｄに係合しているので、摺動子１３と共に引っ張られ前方に前進する。尚、天冠止め１０は回転子１１と共に所定の角度回転するので、天冠止めノック部１０ａの先端面１０ｄが、前進した押しピン１４の外方リブ後端面１４ｂの直後に位置する。この状態で、頭冠５をノックすると天冠止めノック部先端面１０ｄが押しピン１４の外方リブ後端面１４ｂを押し、押しピン１４が芯タンク７ｂの後端を押し、芯を一定長繰り出す。
【０００８】
シャープペンシルユニット７が前軸１より突出した図２の状態において、後軸２を左方向に回転させると回転子１１も一体に回転し、回転子１１のカム面１１ａの先端凹部１１ｂが摺動突起１３ａより外れる。ここで、シャープペンシルユニット７は前バネ８により後方に押されているので後軸２を元の位置迄回転させると、摺動子１３は後方に移動すると共に、押しピン１４も後退し、天冠止め１０が回転し、押しピン外方リブ後端面１４ｂは天冠止めノック部切り欠き底部１０ｃ付近に位置される。この動作によって前記シャープペンシルユニット７の口金７ｄが図１に示す如く先金３内に収納される。
【０００９】
図８は本発明の第２実施例で、押しピン１４に切り欠き部１４ｄを形成し、天冠止めノック部１０ａに外方リブ１０ｅを形成したものである。
【００１０】尚、上記実施例は、ノック部１０ａを有する天冠止め１０を後軸２、頭冠５等の部材と固定し、後軸部を回転することで、シャープペンシルユニット７の出没をなし、後軸部を押圧することで芯出しが行える後軸ノック式を示したが、ノック部１０ａを有する天冠止め１０を後軸２とは固定せず、頭冠５に固定することにより、頭冠５の押圧でシャープペンシルユニット７の芯出しが行える後端ノック式としても何等差し支えない。
【００１１】
【発明の効果】
本発明によると、軸筒内にシャープペンシルユニットを出没可能に配置したシャープペンシルにおいて、前記軸筒を前軸と後軸とより構成し、前記前軸にはシャープペンシルユニットを前後動可能に配置し、そのシャープペンシルユニットは外パイプを有し、その外パイプは前記シャープペンシルユニットを囲繞すると共に、固定され、また、前記後軸には、その外パイプを押圧前進するカム機構を配置し、そのカム機構を前記前軸と後軸との相対的な回転動作によって作動させる如くなし、前記後軸にシャープペンシルユニットを作動せしめる押しピンを前記カム機構を貫通した状態で配置すると共に、その押しピンの先端の対向した位置に前記シャープペンシルユニットの芯タンクを配置し、前記カム機構を回転子と摺動子及びカム筒より構成し、前記シャープペンシルユニットの外パイプに摺動子を圧入固定すると共に、そのシャープペンシルユニットの前方への移動を摺動子の移動によって行い、その摺動子に前記押しピンを係合させた回転出没式シャープペンシルにおいて、前記前軸にカム筒を固定し、そのカム筒に前記後軸に固定された天冠止めと共に回転する回転子を回転可能に配置し、また、その回転子にはその回転子の回転によって前後動する摺動子を挿着すると共に、前記シャープペンシルユニットを前バネによって後方に付勢し、さらに、前記押しピンに少なくとも１つの外方リブを形成し、一方前記回転子に回転を制御され、長手方向に摺動可能なノック部を有する天冠止めを、少なくとも先端部を前記回転子の内方に配置し、前記天冠止めのノック部は先端面に少なくとも１つの切り欠き部を形成し、前記押しピンが後方に位置しているシャープペンシルユニット収納時に、前記押しピンの外方リブの後端面が前記天冠止めノック部の切り欠き底部付近に位置し、押しピンが前進位置にあるシャープペンシルユニット繰り出し時に、所定の角度回転子と同期して天冠止めが回転し、前記押しピン外方リブ後端面の直後に前記天冠止めノック部の先端面が配置されるようになしたので、シャープペンシルユニットの外パイプ摺動機構と、芯タンクのノック機構を独立した構成にでき、汎用性の高いシャープペンシルユニットを使用でき、部品の共通化が計れ、組み立て時、シャープペンシルユニットは最後に組み込めばよいので組み立てが容易で、組み立て工程が大巾に低減できると共に、耐久性に優れたシャ−プペンシルを提供することができる。更に本発明ではシャープペンシルユニット収納時と繰り出し時において先金の先端から頭冠までの全長が変わることなく、しかも、シャープペンシルユニットの前進にも拘わらずノックストロークを短く設定することができる。
【図面の簡単な説明】
【図１】  本発明の第１実施例でシャープペンシルユニットが収納状態の正断面図である。
【図２】  図１のシャープペンシルユニットが突出状態の正断面図である。
【図３】  図１のシャープペンシルユニット正断面図である。
【図４】  図１のカム機構の分解斜視図である。
【図５】  図１の摺動子の部分断面斜視図である。
【図６】  図１の天冠止めと押しピンの位置関係を示す上面図である。
【図７】  図２の天冠止めと押しピンの位置関係を示す上面図である。
【図８】  本発明の第２実施例の天冠止めと押しピンの分解斜視図である。
【符号の説明】
１  前軸
２  後軸
３  先金
４  クリップ
５  頭冠
６  消しゴム
７  シャープペンシルユニット
７ａ  シャープペンシルユニットの外パイプ
７ｂ  シャープペンシルユニットの芯タンク
７ｃ  シャープペンシルユニットのチャック体
７ｄ  シャープペンシルユニットの口金
８  前バネ
９  天冠
１０  天冠止め
１０ａ  天冠止めノック部
１０ｂ  天冠止め切り欠き部
１０ｃ  天冠止め切り欠き底部
１０ｄ  天冠止めノック部先端面
１０ｅ  天冠止め外方リブ
１１  回転子
１１ａ  カム面
１１ｂ  カム先端凹部
１２  カム筒
１２ａ  カム筒溝部
１３  摺動子
１３ａ  摺動子の摺動突起
１３ｂ  摺動子貫通孔
１３ｃ  摺動子内方開口溝
１３ｄ  摺動子内方係止段部
１４  押しピン
１４ａ  押しピン外方リブ
１４ｂ  押しピン外方リブ後端面
１４ｃ  押しピン係止突起
１４ｄ  押しピン切り欠き部
１５  カムバネ
【図１】
0003843565.tif 000002
【図２】
0003843565.tif 000003
【図３】
0003843565.tif 000004
【図４】
0003843565.tif 000005
【図５】
0003843565.tif 000006
【図６】
0003843565.tif 000007
【図７】
0003843565.tif 000008
【図８】
0003843565.tif 000009